(57)【要約】【課題】空間画素ずらしを適用した撮像装置において高画質化を図るために、各チャンネルの高域成分を折り返し成分が除去された高域置換信号で置き換える高域置換処理を行う場合、高域置換信号を生成するための原信号となるチャンネルの撮像素子に欠陥画素が存在すると、その影響が他のチャンネルの映像信号にも波及してしまう。【解決手段】入力映像信号を周波数帯域の低域と高域に分離する低域高域分離部１と、高域信号から高域置換信号を生成する高域信号生成部２と、高域置換信号を低域信号に加算する加算部３と、欠陥画素を検出してそのチャンネル情報と位置情報を取得する傷検出部４と、加算部３の出力と低域高域分離部１から出力される低域信号を選択する選択部５とを備え、傷検出部４により取得した欠陥画素のチャンネル情報と位置情報によって、欠陥画素の位置の画素に対しては各チャンネルの低域信号をそのまま出力するように制御する。【選択図】図１
2006262084.tif 000002
【特許請求の範囲】
【請求項１】
複数の撮像素子により得られてデジタル信号に変換後に所定の信号処理を施された各チャンネルの映像信号の周波数帯域の高域信号を新たに生成した高域置換信号により置換する処理を、前記複数の撮像素子の欠陥画素の情報により制御することを特徴とする高域置換回路。
【請求項２】
前記欠陥画素の情報は欠陥画素のチャンネル情報と位置情報であることを特徴とする請求項１記載の高域置換回路。
【請求項３】
複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、前記第１の高域置換信号を前記低域信号に加算する加算部と、前記複数の撮像素子の欠陥画素の情報を取得する第１の傷検出部と、前記第１の傷検出部の取得した欠陥画素の情報を基に前記加算部の出力と前記低域信号を選択する選択部とを備えたことを特徴とする請求項１から２に記載の高域置換回路。
【請求項４】
複数の撮像素子により得られてデジタル信号に変換後に所定の信号処理を施された各チャンネルの映像信号を周波数帯域の低域信号と高域信号に分離する低域高域分離部と、前記高域信号から第２の高域置換信号を生成する第２の高域信号生成部と、前記第２の高域置換信号を前記低域信号に加算する加算部と、前記複数の撮像素子の欠陥画素の情報を取得する第２の傷検出部とを備え、前記第２の傷検出部の取得した欠陥画素の情報を基に前記第２の高域信号生成部の前記第２の高域置換信号を生成する処理を制御することを特徴とする請求項１から２に記載の高域置換回路。
【請求項５】
前記第２の高域信号生成部が前記欠陥画素の情報を基に生成する前記第２の高域置換信号は、欠陥画素を含まないチャンネルの高域信号を原信号として選択して生成する高域置換信号、または零であることを特徴とする請求項４記載の高域置換回路。
【請求項６】
複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、第１の高域置換信号を前記低域信号に加算する加算部と、前記複数の撮像素子の欠陥画素の情報を取得する第１の傷検出部と、前記第１の傷検出部の取得した欠陥画素の情報を基に前記加算部の出力と前記各チャンネルの映像信号を選択する選択部とを備えたことを特徴とする請求項１から２に記載の高域置換回路。
【請求項７】
複数の撮像素子により得られてデジタル信号に変換後に所定の信号処理を施された各チャンネルの映像信号を周波数帯域の低域信号と高域信号に分離する低域高域分離部と、前記高域信号から第３の高域置換信号を生成する第３の高域信号生成部と、前記第３の高域置換信号を前記低域信号に加算する加算部と、前記複数の撮像素子の欠陥画素の情報を取得する第２の傷検出部とを備え、前記第２の傷検出部の取得した欠陥画素の情報を基に前記第３の高域信号生成部の前記第３の高域置換信号を生成する処理を制御することを特徴とする請求項１から２に記載の高域置換回路。
【請求項８】
前記第３の高域信号生成部が前記欠陥画素の情報を基に生成する前記第３の高域置換信号は、前記高域信号を原信号として生成する高域置換信号、または前記高域信号であることを特徴とする請求項７記載の高域置換回路。
【請求項９】
前記第１および第２の傷検出部は前記複数の撮像素子の欠陥画素の情報を前記各チャンネルの映像信号から取得することを特徴とする請求項１から８記載の高域置換回路。
【請求項１０】
前記第１および第２の傷検出部は前記複数の撮像素子の欠陥画素の情報を前記高域信号から取得することを特徴とする請求項１から８記載の高域置換回路。
【請求項１１】
複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、前記第１の高域置換信号を前記低域信号に加算する加算部と、前記複数の撮像素子の欠陥画素の情報を記憶する第１の傷情報記憶部と、前記第１の傷情報記憶部の記憶した欠陥画素の情報を基に前記加算部の出力と前記低域信号を選択する選択部とを備えたことを特徴とする請求項１から２に記載の高域置換回路。
【請求項１２】
複数の撮像素子により得られてデジタル信号に変換後に所定の信号処理を施された各チャンネルの映像信号を周波数帯域の低域信号と高域信号に分離する低域高域分離部と、前記高域信号から第２の高域置換信号を生成する第２の高域信号生成部と、前記第２の高域置換信号を前記低域信号に加算する加算部と、前記複数の撮像素子の欠陥画素の情報を記憶する第２の傷情報記憶部とを備え、前記第２の傷情報記憶部の記憶した欠陥画素の情報を基に前記第２の高域信号生成部の前記第２の高域置換信号を生成する処理を制御することを特徴とする請求項１から２に記載の高域置換回路。
【請求項１３】
前記第２の高域信号生成部が前記欠陥画素の情報を基に生成する前記第２の高域置換信号は、欠陥画素を含まないチャンネルの高域信号を原信号として選択して生成する高域置換信号、または零であることを特徴とする請求項１２記載の高域置換回路。
【請求項１４】
複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、前記第１の高域置換信号を前記低域信号に加算する加算部と、前記複数の撮像素子の欠陥画素の情報を記憶する第１の傷情報記憶部と、前記第１の傷情報記憶部の記憶した欠陥画素の情報を基に前記加算部の出力と前記各チャンネルの映像信号を選択する選択部とを備えたことを特徴とする請求項１から２に記載の高域置換回路。
【請求項１５】
複数の撮像素子により得られてデジタル信号に変換後に所定の信号処理を施された各チャンネルの映像信号を周波数帯域の低域信号と高域信号に分離する低域高域分離部と、前記高域信号から第３の高域置換信号を生成する第３の高域信号生成部と、前記第３の高域置換信号を前記低域信号に加算する加算部と、前記複数の撮像素子の欠陥画素の情報を記憶する第２の傷情報記憶部とを備え、前記第２の傷情報記憶部の記憶した欠陥画素の情報を基に前記第３の高域信号生成部の前記第３の高域置換信号を生成する処理を制御することを特徴とする請求項１から２に記載の高域置換回路。
【請求項１６】
前記第３の高域信号生成部が前記欠陥画素の情報を基に生成する前記第３の高域置換信号は、前記高域信号を原信号として生成する高域置換信号、または前記高域信号であることを特徴とする請求項１５記載の高域置換回路。
【発明の詳細な説明】
【技術分野】
【０００１】
本発明は、複数の撮像素子を用いた撮像装置において、空間画素ずらしにより高画質な画像を得るために高域成分の置き換え処理を行う高域置換回路に関するものである。
【背景技術】
【０００２】
従来、例えばＣｈａｒｇｅ  Ｃｏｕｐｌｅｄ  Ｄｅｖｉｃｅ型撮像素子（以下ＣＣＤ）を用いた３板式撮像装置では、３枚のＣＣＤがそれぞれ緑色（Ｇｃｈ）、青色（Ｂｃｈ）および赤色（Ｒｃｈ）の入射光の光電変換を行い、得られた電気信号に対して高画質化のための様々な信号処理を施している。
【０００３】
その高画質化のひとつの手法として、３枚のＣＣＤをあらかじめ空間的に画素の位置をずらして配置し、電気的な信号処理により見かけの解像度向上を図る空間画素ずらしが挙げられる。空間画素ずらしを適用する撮像装置では、例えば図１４に示すように、Ｇｃｈ用のＣＣＤを他のＢｃｈおよびＲｃｈに対して画素ピッチの１／２に相当する量だけ空間的に画素の位置をずらして貼り合わせる。
【０００４】
一方、ＣＣＤの入射光は光学ローパスフィルタにより帯域制限されて入射される。この光学ローパスフィルタの特性は図１５に示すように、ＣＣＤのサンプリング周波数をｆｓとすると、そのナイキスト周波数であるｆｓ／２よりも広帯域なものを使用している。これは光学ローパスフィルタはあまり急峻な特性とすることができないため、ナイキスト周波数ｆｓ／２で帯域制限する特性としてしまうと得られる映像信号の高域成分が大きく失われることとなり、解像度が低下するためである。
【０００５】
ところが光学ローパスフィルタがナイキスト周波数ｆｓ／２以上の信号を通過させてしまうと、その信号はＣＣＤの空間的なサンプリングにより図１５の網掛け部分のようにナイキスト周波数ｆｓ／２帯域内に折り返し、偽信号成分が発生する。
【０００６】
そこで、上述のように空間的に１／２画素ピッチだけ位置をずらして配置したＧｃｈ用のＣＣＤと他のＢｃｈ用およびＲｃｈ用のＣＣＤから得られる映像信号は、その折り返し成分が互いに逆相となることを利用し、例えばＧｃｈ用映像信号の高域成分とＲｃｈ用映像信号の高域成分の加算平均により折り返し成分が相殺された新たな高域置換信号を生成し、それにより各チャンネルの高域成分を置き換える高域置換処理を行う。
【０００７】
以下に従来の高域置換回路について説明する。
【０００８】
従来、高域置換回路は特許文献１や特許文献２に記載されたものが知られている。図１３は従来の高域置換回路の動作を説明する図である。図１３において、１は入力された各チャンネルの映像信号を低周波数帯域の低域信号と高周波数帯域の高域信号に分離する低域高域分離部、２は高域信号から高域置換信号を生成する高域信号生成部、３は高域置換信号を低域信号に加算する加算部である。
【０００９】
図１３に示す従来の高域置換回路には上述のように空間画素ずらしを適用されたＧｃｈ用、Ｂｃｈ用およびＲｃｈ用の撮像素子により得られる信号をデジタル信号に変換した後に所定の信号処理を施された各チャンネルの映像信号がそれぞれＧＩＮ、ＢＩＮおよびＲＩＮとして入力される。そして入力されたＧＩＮ、ＢＩＮおよびＲＩＮの各信号は低域高域分離部１によりそれぞれ、低域信号ＧＬ１、ＢＬ１およびＲＬ１と高域信号ＧＨ１、ＢＨ１およびＲＨ１に分離される。この高域信号ＧＨ１、ＢＨ１およびＲＨ１は高域信号生成部２に入力されて、例えば互いに折り返し成分の位相が逆相であるＧＨ１とＲＨ１の加算平均を算出することにより、折り返し成分が除去された新たな高域置換信号が生成される。そして加算部３により、この高域置換信号と各チャンネルの低域信号ＧＬ１、ＢＬ１およびＲＬ１をそれぞれ加算することにより、折り返し成分が除去された映像信号ＧＯＵＴ、ＢＯＵＴおよびＲＯＵＴを得ることができる。
【特許文献１】特開平９−１０７５５３号公報
【特許文献２】特開２００４−７２９２８号公報
【発明の開示】
【発明が解決しようとする課題】
【００１０】
しかしながら上記従来の高域置換回路では、例えばＲｃｈ用のＣＣＤに欠陥画素（傷画素）が存在する場合、その欠陥画素から出力される信号は高周波成分である場合が多いため、低域高域分離部１により分離された高域信号ＲＨ１には欠陥画素の信号成分が含まれることになる。仮にこの高域置換回路の前段にこのような欠陥画素を補正する傷補正回路がある場合にも、全ての入力画像に対して欠陥画素を完全に補正することは困難であり、その補正痕が残る場合には高域信号ＲＨ１にその影響が含まれる場合もある。高域信号生成部２では、このような欠陥画素による影響の残る高域信号を原信号として新たな高域置換信号を生成するため、この高域置換信号にも欠陥画素の影響が含まれる。したがって加算部３により各チャンネルの低域信号ＧＬ１、ＢＬ１およびＲＬ１に高域置換信号を加算して生成する映像信号には、Ｒｃｈの高域置換処理後の出力信号ＲＯＵＴだけでなく、元々欠陥画素を存在していなかったＧｃｈおよびＢｃｈの高域置換処理後の出力信号ＧＯＵＴおよびＢＯＵＴにまでＲｃｈの欠陥画素の影響が波及することになってしまう。
【００１１】
本発明は上記従来の問題点を解決するもので、撮像素子に欠陥画素が存在する場合にもその影響が欠陥画素が存在しないチャンネルの信号にまで波及することなく高画質な映像を得られる高域置換回路を提供することを目的とする。
【課題を解決するための手段】
【００１２】
本発明の請求項１に記載の発明は、複数の撮像素子により得られてデジタル信号に変換後に所定の信号処理を施された各チャンネルの映像信号の周波数帯域の高域信号を新たに生成した高域置換信号により置換する処理を、前記複数の撮像素子の欠陥画素の情報により制御することを特徴とする高域置換回路であり、特定のチャンネル用の撮像素子に欠陥画素が存在する場合には、その欠陥画素の情報により高域置換処理を制御できるという作用を有する。
【００１３】
本発明の請求項２に記載の発明は、前記欠陥画素の情報は欠陥画素のチャンネル情報と位置情報であることを特徴とする請求項１記載の高域置換回路であり、特定のチャンネル用の撮像素子に欠陥画素が存在する場合には、その欠陥画素が存在するチャンネル情報とその位置情報により高域置換処理を制御できるという作用を有する。
【００１４】
本発明の請求項３に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、前記第１の高域置換信号を前記低域信号に加算する加算部と、前記複数の撮像素子の欠陥画素の情報を取得する第１の傷検出部と、前記第１の傷検出部の取得した欠陥画素の情報を基に前記加算部の出力と前記低域信号を選択する選択部とを備えたことを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対しては欠陥画素の影響を含まない低域信号を出力することができるという作用を有する。
【００１５】
本発明の請求項４に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第２の高域置換信号を生成する第２の高域信号生成部と、前記第２の高域置換信号を前記低域信号に加算する加算部と、前記複数の撮像素子の欠陥画素の情報を取得する第２の傷検出部とを備え、前記第２の傷検出部の取得した欠陥画素の情報を基に前記第２の高域信号生成部の前記第２の高域置換信号を生成する処理を制御することを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対して加算する第２の高域置換信号を生成する処理を制御できるという作用を有する。
【００１６】
本発明の請求項５に記載の発明は、前記第２の高域信号生成部が前記欠陥画素の情報を基に生成する前記第２の高域置換信号は、欠陥画素を含まないチャンネルの高域信号を原信号として選択して生成する高域置換信号、または零であることを特徴とする請求項４記載の高域置換回路であり、高域置換信号を生成するための原信号であるチャンネル用の撮像素子に欠陥画素が存在する場合には、その欠陥画素の情報によりその画素の位置の信号に対して加算する第２の高域置換信号を、その位置に欠陥画素を含まないチャンネルの高域信号を原信号として選択して生成した高域置換信号とするか、または零とすることができるという作用を有する。
【００１７】
本発明の請求項６に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、第１の高域置換信号を前記低域信号に加算する加算部と、前記複数の撮像素子の欠陥画素の情報を取得する第１の傷検出部と、前記第１の傷検出部の取得した欠陥画素の情報を基に前記加算部の出力と前記各チャンネルの映像信号を選択する選択部とを備えたことを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対しては元の各チャンネルの映像信号をそのまま出力することができるという作用を有する。
【００１８】
本発明の請求項７に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第３の高域置換信号を生成する第３の高域信号生成部と、前記第３の高域置換信号を前記低域信号に加算する加算部と、前記複数の撮像素子の欠陥画素の情報を取得する第２の傷検出部とを備え、前記第２の傷検出部の取得した欠陥画素の情報を基に前記第３の高域信号生成部の前記第３の高域置換信号を生成する処理を制御することを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対して加算する第２の高域置換信号を生成する処理を制御できるという作用を有する。
【００１９】
本発明の請求項８に記載の発明は、前記第３の高域信号生成部が前記欠陥画素の情報を基に生成する前記第３の高域置換信号は、前記高域信号を原信号として生成する高域置換信号、または前記高域信号であることを特徴とする請求項７記載の高域置換回路であり、高域置換信号を生成するための原信号であるチャンネル用の撮像素子に欠陥画素が存在する場合には、その欠陥画素の情報により欠陥画素の位置の信号に対しては加算する第３の高域置換信号として各チャンネルの高域信号をそのまま出力することができるという作用を有する。
【００２０】
本発明の請求項９に記載の発明は、前記第１および第２の傷検出部は前記複数の撮像素子の欠陥画素の情報を前記各チャンネルの映像信号から取得することを特徴とする請求項１から８記載の高域置換回路であり、元の映像信号に含まれる欠陥画素を検出して情報を取得できるという作用を有する。
【００２１】
本発明の請求項１０に記載の発明は、前記第１および第２の傷検出部は前記複数の撮像素子の欠陥画素の情報を前記高域信号から取得することを特徴とする請求項１から８記載の高域置換回路であり、高域信号に含まれる欠陥画素の影響を検出して情報を取得できるという作用を有する。
【００２２】
本発明の請求項１１に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、前記第１の高域置換信号を前記低域信号に加算する加算部と、前記複数の撮像素子の欠陥画素の情報を記憶する第１の傷情報記憶部と、前記第１の傷情報記憶部の記憶した欠陥画素の情報を基に前記加算部の出力と前記低域信号を選択する選択部とを備えたことを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対しては欠陥画素の影響を含まない低域信号を出力することができるという作用を有する。
【００２３】
本発明の請求項１２に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第２の高域置換信号を生成する第２の高域信号生成部と、前記第２の高域置換信号を前記低域信号に加算する加算部と、前記複数の撮像素子の欠陥画素の情報を記憶する第２の傷情報記憶部とを備え、前記第２の傷情報記憶部の記憶した欠陥画素の情報を基に前記第２の高域信号生成部の前記第２の高域置換信号を生成する処理を制御することを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対して加算する第２の高域置換信号を生成する処理を制御できるという作用を有する。
【００２４】
本発明の請求項１３に記載の発明は、前記第２の高域信号生成部が前記欠陥画素の情報を基に生成する前記第２の高域置換信号は、欠陥画素を含まないチャンネルの高域信号を原信号として選択して生成する高域置換信号、または零であることを特徴とする請求項１２記載の高域置換回路であり、高域置換信号を生成するための原信号であるチャンネル用の撮像素子に欠陥画素が存在する場合には、その欠陥画素の情報によりその画素の位置の信号に対して加算する第２の高域置換信号を、その位置に欠陥画素を含まないチャンネルの高域信号を原信号として選択して生成した高域置換信号とするか、または零とすることができるという作用を有する。
【００２５】
本発明の請求項１４に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第１の高域置換信号を生成する第１の高域信号生成部と、前記第１の高域置換信号を前記低域信号に加算する加算部と、前記複数の撮像素子の欠陥画素の情報を記憶する第１の傷情報記憶部と、前記第１の傷情報記憶部の記憶した欠陥画素の情報を基に前記加算部の出力と前記各チャンネルの映像信号を選択する選択部とを備えたことを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対しては元の各チャンネルの映像信号をそのまま出力することができるという作用を有する。
【００２６】
本発明の請求項１５に記載の発明は、複数の撮像素子により得られてデジタル信号に変換後に所定の信号処理を施された各チャンネルの映像信号を周波数帯域の低域信号と高域信号に分離する低域高域分離部と、前記高域信号から第３の高域置換信号を生成する第３の高域信号生成部と、前記第３の高域置換信号を前記低域信号に加算する加算部と、前記複数の撮像素子の欠陥画素の情報を記憶する第２の傷情報記憶部とを備え、前記第２の傷情報記憶部の記憶した欠陥画素の情報を基に前記第３の高域信号生成部の前記第３の高域置換信号を生成する処理を制御することを特徴とする請求項１から２に記載の高域置換回路であり、高域置換信号を生成するための原信号であるチャンネル用の撮像素子に欠陥画素が存在する場合には、その欠陥画素の情報によりその画素の位置の信号に対して加算する第２の高域置換信号を生成する処理を制御できるという作用を有する。
【００２７】
本発明の請求項１６に記載の発明は、前記第３の高域信号生成部が前記欠陥画素の情報を基に生成する前記第３の高域置換信号は、前記高域信号を原信号として生成する高域置換信号、または前記高域信号であることを特徴とする請求項１５記載の高域置換回路であり、高域置換信号を生成するための原信号であるチャンネル用の撮像素子に欠陥画素が存在する場合には、その欠陥画素の情報により欠陥画素の位置の信号に対しては加算する第３の高域置換信号として各チャンネルの高域信号をそのまま出力することができるという作用を有する。
【発明の効果】
【００２８】
以上のように本発明は、特定のチャンネルの撮像素子に存在する欠陥画素が他のチャンネルの映像信号に波及することなく処理が可能であるため、撮像素子に欠陥画素が存在するか否かに関わらず、空間画素ずらしと高域置換処理により高画質な映像信号を得られる高域置換回路を提供することができるという効果が得られる。
【発明を実施するための最良の形態】
【００２９】
以下、本発明の実施の形態について、図１から図１２を用いて説明する。なお、ここでは通常は高域信号生成部において高域置換信号を生成するための原信号はＧｃｈの高域信号ＧＨ１とＲｃｈの高域信号ＲＨ１とし、欠陥画素が存在するチャンネルをＲｃｈとして説明する。
【００３０】
（実施の形態１）
図１は、本発明の実施の形態１の高域置換回路の概略構成を示す図であり、１、２および３は図１３の従来の高域置換回路における１、２および３と同様である。４は各チャンネルの映像信号を入力して欠陥画素を検出し、その欠陥画素のチャンネル情報と位置情報を取得する傷検出部、５は加算部３の出力と低域高域分離部１から出力される低域信号を選択する選択部である。
【００３１】
以下、本発明の実施の形態１の高域置換回路について図１を用いて説明する。
【００３２】
本発明の実施の形態１の高域置換回路では、Ｇｃｈ用のＣＣＤを他のＢｃｈおよびＲｃｈに対して画素ピッチの１／２に相当する量だけ空間的に画素の位置をずらして配置する空間画素ずらしを適用されたＧｃｈ用、Ｂｃｈ用およびＲｃｈ用の撮像素子により得られる信号をデジタル信号に変換した後に所定の信号処理を施された各チャンネルの映像信号がそれぞれＧＩＮ、ＢＩＮおよびＲＩＮとして入力される。そして入力されたＧＩＮ、ＢＩＮおよびＲＩＮの各信号は低域高域分離部１によりそれぞれ、低域信号ＧＬ１、ＢＬ１およびＲＬ１と高域信号ＧＨ１、ＢＨ１およびＲＨ１に分離される。この高域信号ＧＨ１、ＢＨ１およびＲＨ１は高域信号生成部２に入力されて、例えば互いに折り返し成分の位相が逆相であるＧＨ１とＲＨ１の加算平均を算出することにより、折り返し成分が除去された新たな高域置換信号が生成される。そして加算部３により、この高域置換信号と各チャンネルの低域信号ＧＬ１、ＢＬ１およびＲＬ１をそれぞれ加算することにより、折り返し成分が除去された映像信号が得られる。ここで高域信号生成部２において高域置換信号を生成する際に使用されるＧｃｈとＲｃｈがともに欠陥画素でない位置の画素の場合には、選択部５においてＧＯＵＴ、ＢＯＵＴおよびＲＯＵＴとしてこの折り返し成分が除去された映像信号を選択することにより高画質な映像信号を得ることができる。一方、Ｒｃｈに欠陥画素がある場合にはこの高域信号ＲＨ１を用いて生成した高域置換信号にはその影響が含まれているため、この位置の画素では選択部５においてＧＯＵＴ、ＢＯＵＴおよびＲＯＵＴとしてこの高域置換信号と各チャンネルの低域信号ＧＬ１、ＢＬ１およびＲＬ１の加算信号を選択せずに各チャンネルの低域信号ＧＬ１、ＢＬ１およびＲＬ１をそのまま出力することにより、Ｒｃｈの欠陥画素の影響が他のチャンネルに波及することはない。またＲｃｈについても欠陥画素の成分を含む高域信号を捨てることになるので欠陥画素の影響が軽減される可能性もある。この選択部５における加算部３の出力と低域信号ＧＬ１、ＢＬ１およびＲＬ１の選択は、傷検出部４により各チャンネルの入力映像信号ＧＩＮ、ＢＩＮおよびＲＩＮから検出された欠陥画素のチャンネル情報および位置情報により制御する。
【００３３】
なお、この傷検出部４は本発明の実施の形態１の高域置換回路に含んでいてもよいし、前段に傷検出補正回路等があればその傷検出部から欠陥画素のチャンネル情報および位置情報を受け取るようにしてもよい。
【００３４】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００３５】
（実施の形態２）
図２は、本発明の実施の形態２の高域置換回路の概略構成を示す図であり、１および３は図１の本発明の実施の形態１の高域置換回路における１および３と同様である。７は各チャンネルの映像信号を入力して欠陥画素を検出し、その欠陥画素のチャンネル情報と位置情報を取得する傷検出部、６は傷検出部７の出力する欠陥画素の情報を基に高域置換信号を生成する高域信号生成部である。
【００３６】
以下、本発明の実施の形態２の高域置換回路について図２を用いて説明する。
【００３７】
本発明の実施の形態２の高域置換回路では、本発明の実施の形態１の高域置換回路と同様な各チャンネルの映像信号がそれぞれＧＩＮ、ＢＩＮおよびＲＩＮとして入力され、低域高域分離部１により同様に低域信号ＧＬ１、ＢＬ１およびＲＬ１と高域信号ＧＨ１、ＢＨ１およびＲＨ１に分離される。そして高域置換信号を生成する際に使用されるＧｃｈとＲｃｈがともに欠陥画素でない場合には、本発明の実施の形態１と同様に高域信号生成部６において高域信号ＧＨ１とＲＨ１から生成される折り返し成分が除去された新たな高域置換信号と各チャンネルの低域信号ＧＬ１、ＢＬ１およびＲＬ１との加算により、ＧＯＵＴ、ＢＯＵＴおよびＲＯＵＴとして折り返し成分が除去された映像信号を出力する。一方、Ｒｃｈに欠陥画素がある場合には高域信号生成部６において欠陥画素であるＲｃｈの高域信号ＲＨ１ではなくＢｃｈの高域信号ＢＨ１を選択してＧｃｈの高域信号ＧＨ１との加算平均により得られる信号を高域置換信号として各チャンネルの低域信号ＧＬ１、ＢＬ１およびＲＬ１と加算することにより、ＧＯＵＴ、ＢＯＵＴおよびＲＯＵＴを出力する。さらにＢｃｈにもＲｃｈと同位置に欠陥画素が存在する場合やＧｃｈに欠陥画素が存在する場合には、高域信号生成部６から出力する高域置換信号を零として各チャンネルの低域信号ＧＬ１、ＢＬ１およびＲＬ１と加算することにより、低域信号ＧＬ１、ＢＬ１およびＲＬ１をそのままＧＯＵＴ、ＢＯＵＴおよびＲＯＵＴとして出力することができる。この高域信号生成部６における高域置換信号生成の際の原信号の選択、または高域置換信号を零とするか否かは、傷検出部７により各チャンネルの入力映像信号ＧＩＮ、ＢＩＮおよびＲＩＮから検出された欠陥画素のチャンネル情報および位置情報により制御する。
【００３８】
なお、この傷検出部７は本発明の実施の形態２の高域置換回路に含んでいてもよいし、前段に傷検出補正回路等があればその傷検出部から欠陥画素のチャンネル情報および位置情報を受け取るようにしてもよい。
【００３９】
なお、欠陥画素が１チャンネルのみに含まれている場合であっても高域置換信号を零としてもよい。
【００４０】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００４１】
（実施の形態３）
図３は、本発明の実施の形態３の高域置換回路の概略構成を示す図であり、１、２、３、４および５は図１の本発明の実施の形態１の高域置換回路における１、２、３、４および５と同様である。
【００４２】
以下、本発明の実施の形態３の高域置換回路について図３を用いて説明する。
【００４３】
本発明の実施の形態３の高域置換回路では、選択部５以外の動作は全て本発明の実施の形態１の高域置換回路と同様である。そして高域信号生成部２において高域置換信号を生成する際に使用されるＧｃｈとＲｃｈがともに欠陥画素でない位置の画素の場合には、選択部５においてＧＯＵＴ、ＢＯＵＴおよびＲＯＵＴとして折り返し成分が除去された映像信号を選択することにより高画質な映像信号を得ることができる。一方、Ｒｃｈに欠陥画素がある場合には、この位置の画素では選択部５においてＧＯＵＴ、ＢＯＵＴおよびＲＯＵＴとして各チャンネルの入力映像信号ＧＩＮ、ＢＩＮおよびＲＩＮをそのまま出力することにより、Ｒｃｈの欠陥画素の影響が他のチャンネルに波及することはない。この選択部５における加算部３の出力と各チャンネルの入力映像信号ＧＩＮ、ＢＩＮおよびＲＩＮの選択は、傷検出部４により各チャンネルの入力映像信号ＧＩＮ、ＢＩＮおよびＲＩＮから検出された欠陥画素のチャンネル情報および位置情報により制御する。
【００４４】
なお、この傷検出部４は本発明の実施の形態３の高域置換回路に含んでいてもよいし、前段に傷検出補正回路等があればその傷検出部から欠陥画素のチャンネル情報および位置情報を受け取るようにしてもよい。
【００４５】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００４６】
（実施の形態４）
図４は、本発明の実施の形態４の高域置換回路の概略構成を示す図であり、１、３および７は図２の本発明の実施の形態２の高域置換回路における１、３および７と同様である。８は傷検出部７の出力する欠陥画素の情報を基に高域置換信号を生成する高域信号生成部である。
【００４７】
以下、本発明の実施の形態４の高域置換回路について図４を用いて説明する。
【００４８】
本発明の実施の形態４の高域置換回路では、低域高域分離部１および傷検出部７の動作は本発明の実施の形態２の高域置換回路と同様である。そして高域置換信号を生成する際に使用されるＧｃｈとＲｃｈがともに欠陥画素でない場合には、本発明の実施の形態２と同様に高域信号生成部８において高域信号ＧＨ１とＲＨ１から折り返し成分が除去された新たな高域置換信号が生成されてＧｃｈ、ＢｃｈおよびＲｃｈに出力され、加算部３において各チャンネルの低域信号ＧＬ１、ＢＬ１およびＲＬ１と加算することにより、ＧＯＵＴ、ＢＯＵＴおよびＲＯＵＴとして折り返し成分が除去された映像信号を出力する。一方、Ｒｃｈに欠陥画素がある場合には高域信号生成部８において高域置換信号として各チャンネルの高域信号ＧＨ１、ＢＨ１およびＲＨ１がＧｃｈ、ＢｃｈおよびＲｃｈに出力され、加算部３において各チャンネルの低域信号ＧＬ１、ＢＬ１およびＲＬ１と加算することにより、元の各チャンネルの入力映像信号ＧＩＮ、ＢＩＮおよびＲＩＮとなりＧＯＵＴ、ＢＯＵＴおよびＲＯＵＴとして出力する。この高域信号生成部８において出力信号を折り返し成分が除去された高域置換信号とするか各チャンネルの高域信号ＧＨ１、ＢＨ１およびＲＨ１とするかは、傷検出部７により各チャンネルの入力映像信号ＧＩＮ、ＢＩＮおよびＲＩＮから検出された欠陥画素のチャンネル情報および位置情報により制御する。
【００４９】
なお、この傷検出部７は本発明の実施の形態４の高域置換回路に含んでいてもよいし、前段に傷検出補正回路等があればその傷検出部から欠陥画素のチャンネル情報および位置情報を受け取るようにしてもよい。
【００５０】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００５１】
（実施の形態５）
図５は、本発明の実施の形態５の高域置換回路の概略構成を示す図であり、１、２、３および５は図１の本発明の実施の形態１の高域置換回路における１、２、３および５と同様である。９は低域高域分離部１の出力である高域信号を入力して欠陥画素を検出し、その欠陥画素のチャンネル情報と位置情報を取得する傷検出部である。
【００５２】
以下、本発明の実施の形態５の高域置換回路について図５を用いて説明する。
【００５３】
本発明の実施の形態５の高域置換回路では、傷検出部９以外の動作は全て本発明の実施の形態１の高域置換回路と同様であり、傷検出部９により検出された欠陥画素のチャンネル情報および位置情報により制御されて選択部５において加算部３の出力と低域信号ＧＬ１、ＢＬ１およびＲＬ１が選択される。
【００５４】
傷検出部９では欠陥画素の検出を低域高域分離部１の出力である高域信号ＧＨ１、ＢＨ１およびＲＨ１から行うことにより、高域信号生成部２で原信号として使用される各チャンネルの高域信号に直接含まれている欠陥画素の影響の有無により高域置換処理を行うことができる。
【００５５】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００５６】
（実施の形態６）
図６は、本発明の実施の形態６の高域置換回路の概略構成を示す図であり、１、３および６は図２の本発明の実施の形態２の高域置換回路における１、３および６と同様である。１０は低域高域分離部１の出力である高域信号を入力して欠陥画素を検出し、その欠陥画素のチャンネル情報と位置情報を取得する傷検出部である。
【００５７】
以下、本発明の実施の形態６の高域置換回路について図６を用いて説明する。
【００５８】
本発明の実施の形態６の高域置換回路では、傷検出部１０以外の動作は全て本発明の実施の形態２の高域置換回路と同様であり、傷検出部１０により検出された欠陥画素のチャンネル情報および位置情報により制御されて高域信号生成部６において高域置換信号生成の際の原信号の選択、または高域置換信号を零とするか否かが選択される。
【００５９】
傷検出部１０では欠陥画素の検出を低域高域分離部１の出力である高域信号ＧＨ１、ＢＨ１およびＲＨ１から行うことにより、高域信号生成部６で原信号として使用される各チャンネルの高域信号に直接含まれている欠陥画素の影響の有無により高域置換処理を行うことができる。
【００６０】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００６１】
（実施の形態７）
図７は、本発明の実施の形態７の高域置換回路の概略構成を示す図であり、１、２、３および５は図３の本発明の実施の形態３の高域置換回路における１、２、３および５と同様である。９は低域高域分離部１の出力である高域信号を入力して欠陥画素を検出し、その欠陥画素のチャンネル情報と位置情報を取得する傷検出部である。
【００６２】
以下、本発明の実施の形態７の高域置換回路について図７を用いて説明する。
【００６３】
本発明の実施の形態７の高域置換回路では、傷検出部９以外の動作は全て本発明の実施の形態３の高域置換回路と同様であり、傷検出部９により検出された欠陥画素のチャンネル情報および位置情報により制御されて選択部５において加算部３の出力と各チャンネルの入力映像信号ＧＩＮ、ＢＩＮおよびＲＩＮが選択される。
【００６４】
傷検出部９では欠陥画素の検出を低域高域分離部１の出力である高域信号ＧＨ１、ＢＨ１およびＲＨ１から行うことにより、高域信号生成部２で原信号として使用される各チャンネルの高域信号に直接含まれている欠陥画素の影響の有無により高域置換処理を行うことができる。
【００６５】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００６６】
（実施の形態８）
図８は、本発明の実施の形態８の高域置換回路の概略構成を示す図であり、１、３および８は図４の本発明の実施の形態４の高域置換回路における１、３および８と同様である。１０は低域高域分離部１の出力である高域信号を入力して欠陥画素を検出し、その欠陥画素のチャンネル情報と位置情報を取得する傷検出部である。
【００６７】
以下、本発明の実施の形態８の高域置換回路について図８を用いて説明する。
【００６８】
本発明の実施の形態８の高域置換回路では、傷検出部１０以外の動作は全て本発明の実施の形態４の高域置換回路と同様であり、傷検出部１０により検出された欠陥画素のチャンネル情報および位置情報により制御されて高域信号生成部８において出力信号を折り返し成分が除去された高域置換信号と各チャンネルの高域信号ＧＨ１、ＢＨ１およびＲＨ１が選択される。
【００６９】
傷検出部１０では欠陥画素の検出を低域高域分離部１の出力である高域信号ＧＨ１、ＢＨ１およびＲＨ１から行うことにより、高域信号生成部８で原信号として使用される各チャンネルの高域信号に直接含まれている欠陥画素の影響の有無により高域置換処理を行うことができる。
【００７０】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００７１】
（実施の形態９）
図９は、本発明の実施の形態９の高域置換回路の概略構成を示す図であり、１、２、３および５は図１の本発明の実施の形態１または図５の本発明の実施の形態５の高域置換回路における１、２、３および５と同様である。１１は欠陥画素のチャンネル情報と位置情報を記憶する傷情報記憶部である。
【００７２】
以下、本発明の実施の形態９の高域置換回路について図９を用いて説明する。
【００７３】
本発明の実施の形態９の高域置換回路では、傷情報記憶部１１以外の動作は全て本発明の実施の形態１または本発明の実施の形態５の高域置換回路と同様であり、傷情報記憶部１１により記憶された欠陥画素のチャンネル情報および位置情報により制御されて選択部５において加算部３の出力と低域信号ＧＬ１、ＢＬ１およびＲＬ１が選択される。
【００７４】
傷情報記憶部１１ではあらかじめ欠陥画素のチャンネル情報と位置情報を登録しておくことにより、欠陥画素の検出部を設けることなく高域置換処理を行うことができる。
【００７５】
なお、この傷情報記憶部１１は本発明の実施の形態９の高域置換回路に含んでいてもよいし、前段に傷検出補正回路等があればその傷情報記憶部から欠陥画素のチャンネル情報および位置情報を受け取るようにしてもよい。
【００７６】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００７７】
（実施の形態１０）
図１０は、本発明の実施の形態１０の高域置換回路の概略構成を示す図であり、１、３および６は図２の本発明の実施の形態２または図６の本発明の実施の形態６の高域置換回路における１、３および６と同様である。１２は欠陥画素のチャンネル情報と位置情報を記憶する傷情報記憶部である。
【００７８】
以下、本発明の実施の形態１０の高域置換回路について図１０を用いて説明する。
【００７９】
本発明の実施の形態１０の高域置換回路では、傷情報記憶部１２以外の動作は全て本発明の実施の形態２または本発明の実施の形態６の高域置換回路と同様であり、傷情報記憶部１２により記憶された欠陥画素のチャンネル情報および位置情報により制御されて高域信号生成部６において高域置換信号生成の際の原信号の選択、または高域置換信号を零とするか否かが選択される。
【００８０】
傷情報記憶部１２ではあらかじめ欠陥画素のチャンネル情報と位置情報を登録しておくことにより、欠陥画素の検出部を設けることなく高域置換処理を行うことができる。
【００８１】
なお、この傷情報記憶部１２は本発明の実施の形態１０の高域置換回路に含んでいてもよいし、前段に傷検出補正回路等があればその傷情報記憶部から欠陥画素のチャンネル情報および位置情報を受け取るようにしてもよい。
【００８２】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００８３】
（実施の形態１１）
図１１は、本発明の実施の形態１１の高域置換回路の概略構成を示す図であり、１、２、３および５は図３の本発明の実施の形態３または図７の本発明の実施の形態７の高域置換回路における１、２、３および５と同様である。１１は欠陥画素のチャンネル情報と位置情報を記憶する傷情報記憶部である。
【００８４】
以下、本発明の実施の形態１１の高域置換回路について図１１を用いて説明する。
【００８５】
本発明の実施の形態１１の高域置換回路では、傷情報記憶部１１以外の動作は全て本発明の実施の形態３または本発明の実施の形態７の高域置換回路と同様であり、傷情報記憶部１１により記憶された欠陥画素のチャンネル情報および位置情報により制御されて選択部５において加算部３の出力と各チャンネルの入力映像信号ＧＩＮ、ＢＩＮおよびＲＩＮが選択される。
【００８６】
傷情報記憶部１１ではあらかじめ欠陥画素のチャンネル情報と位置情報を登録しておくことにより、欠陥画素の検出部を設けることなく高域置換処理を行うことができる。
【００８７】
なお、この傷情報記憶部１１は本発明の実施の形態１１の高域置換回路に含んでいてもよいし、前段に傷検出補正回路等があればその傷情報記憶部から欠陥画素のチャンネル情報および位置情報を受け取るようにしてもよい。
【００８８】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【００８９】
（実施の形態１２）
図１２は、本発明の実施の形態１２の高域置換回路の概略構成を示す図であり、１、３および８は図４の本発明の実施の形態４または図８の本発明の実施の形態８の高域置換回路における１、３および８と同様である。１２は欠陥画素のチャンネル情報と位置情報を記憶する傷情報記憶部である。
【００９０】
以下、本発明の実施の形態１２の高域置換回路について図１２を用いて説明する。
【００９１】
本発明の実施の形態１２の高域置換回路では、傷情報記憶部１２以外の動作は全て本発明の実施の形態４または本発明の実施の形態８の高域置換回路と同様であり、傷情報記憶部１２により記憶された欠陥画素のチャンネル情報および位置情報により制御されて高域信号生成部８において出力信号を折り返し成分が除去された高域置換信号と各チャンネルの高域信号ＧＨ１、ＢＨ１およびＲＨ１が選択される。
【００９２】
傷情報記憶部１２ではあらかじめ欠陥画素のチャンネル情報と位置情報を登録しておくことにより、欠陥画素の検出部を設けることなく高域置換処理を行うことができる。
【００９３】
なお、この傷情報記憶部１２は本発明の実施の形態１２の高域置換回路に含んでいてもよいし、前段に傷検出補正回路等があればその傷情報記憶部から欠陥画素のチャンネル情報および位置情報を受け取るようにしてもよい。
【００９４】
以上のように本実施の形態によれば、特定のチャンネルの撮像素子に欠陥画素が存在する場合にも他のチャンネルの映像信号にその影響が波及することなく処理が可能であるため、空間画素ずらしと高域置換処理により高画質な映像信号を得られる高域置換回路を実現することができる。
【産業上の利用可能性】
【００９５】
本発明にかかる高域置換回路は、特定のチャンネルの撮像素子に存在する欠陥画素が他のチャンネルの映像信号に波及することなく処理が可能であるため、撮像素子の欠陥画素の有無に関わらず高画質な映像信号を得ることを目的とした空間画素ずらしを適用した撮像装置に有用である。
【図面の簡単な説明】
【００９６】
【図１】本発明の実施の形態１における高域置換回路の概略構成を説明する図
【図２】本発明の実施の形態２における高域置換回路の概略構成を説明する図
【図３】本発明の実施の形態３における高域置換回路の概略構成を説明する図
【図４】本発明の実施の形態４における高域置換回路の概略構成を説明する図
【図５】本発明の実施の形態５における高域置換回路の概略構成を説明する図
【図６】本発明の実施の形態６における高域置換回路の概略構成を説明する図
【図７】本発明の実施の形態７における高域置換回路の概略構成を説明する図
【図８】本発明の実施の形態８における高域置換回路の概略構成を説明する図
【図９】本発明の実施の形態９における高域置換回路の概略構成を説明する図
【図１０】本発明の実施の形態１０における高域置換回路の概略構成を説明する図
【図１１】本発明の実施の形態１１における高域置換回路の概略構成を説明する図
【図１２】本発明の実施の形態１２における高域置換回路の概略構成を説明する図
【図１３】従来の高域置換回路の概略構成を説明する図
【図１４】空間画素ずらしを適用した撮像装置のＣＣＤの配置を説明する図
【図１５】ナイキスト周波数以上の高域成分の折り返しを説明する図
【符号の説明】
【００９７】
１  低域高域分離部
２、６、８  高域信号生成部
３  加算部
４、７、９、１０  傷検出部
５  選択部
１１、１２  傷情報記憶部
【図１】
2006262084.tif 000003
【図２】
2006262084.tif 000004
【図３】
2006262084.tif 000005
【図４】
2006262084.tif 000006
【図５】
2006262084.tif 000007
【図６】
2006262084.tif 000008
【図７】
2006262084.tif 000009
【図８】
2006262084.tif 000010
【図９】
2006262084.tif 000011
【図１０】
2006262084.tif 000012
【図１１】
2006262084.tif 000013
【図１２】
2006262084.tif 000014
【図１３】
2006262084.tif 000015
【図１４】
2006262084.tif 000016
【図１５】
2006262084.tif 000017